(57)【要約】【課題】  遊技機の列間の距離を長くすることなく遊技者が足を伸ばすことができ、必要なスペースを確保することが可能な遊技機島を提供する。【解決手段】  遊技機島下部構造５は、主に、仕切り板９、端面板１１、支持部１３、梁部１７、板部材２３、遊技機設置部１５等から構成される。仕切り板９の上方には、遊技機３の前方側に支持部１３が設けられる。遊技機３の下方には、足入れ空間７が形成される。足入れ空間７は、遊技者の足を入れる部位である。仕切り板９の上方には、支持部１３が接合される。支持部１３上には、隣り合う支持部１３同士をつなぐ梁部１７が接合される。また、梁部１７の上部には、遊技機設置部１５が固定される。したがって、支持部１３と遊技機設置部１５との間には、当該支持部１３が設置される側に開口する隙間２５が形成される。【選択図】図４
2017109027.tif 000002
【特許請求の範囲】
【請求項１】
遊技機島であって、
遊技機の下方に、前記遊技機の前面側の前記遊技機島の一方の側から前記遊技機島の他方の側まで延びる足入れ空間を形成する仕切り板が配設され、
一方の側に開口する前記足入れ空間の他方の側における上部には、前記遊技機が設置される遊技機設置部との間に隙間が形成されることを特徴とする遊技機島。
【請求項２】
複数の前記遊技機が、背中合わせで２列に配置され、
前記遊技機島の一方の側の隣接する前記遊技機同士の間に、前記遊技機島の他方の側の前記遊技機が位置し、
前記足入れ空間は、前記遊技機島の両側の前記遊技機の下方にそれぞれ形成されることを特徴とする請求項１記載の遊技機島。
【請求項３】
前記遊技機島のそれぞれの側において、前記足入れ空間の上部に略水平に配置される板状の支持部と、
前記支持部上に配置され、隣り合う前記支持部同士をつなぐ梁部と、
を具備し、
前記遊技機設置部は、前記梁部の上方に固定されることを特徴とする請求項１または請求項２に記載の遊技機島。
【請求項４】
前記遊技機島のそれぞれの側の前記梁部同士が、前記足入れ空間の上部を塞ぐ板部材で互いに接合されることを特徴とする請求項３記載の遊技機島。
【請求項５】
複数の遊技機からなる遊技機島であって、
複数の前記遊技機が、背中合わせで２列に配置され、
前記遊技機島の一方の側の隣接する前記遊技機同士の間に、前記遊技機島の他方の側の前記遊技機が位置し、
前記遊技機の下方に、前記遊技機の前面側の前記遊技機島の一方の側から前記遊技機島の他方の側まで延びる足入れ空間を形成する仕切り板が配設され、
前記足入れ部の上部には、前記遊技機が設置される遊技機設置部との間に隙間が形成され、
前記遊技機島のそれぞれの側において、前記足入れ部の上部に略水平に配置される板状の支持部と、
前記遊技機島の上部構造を支持する柱と、
を具備し、
前記遊技機島の一方の側の前記柱同士の間に、前記遊技機島の他方の側の前記柱が位置し、
前記柱の下端近傍が、前記支持部に固定されることを特徴とする遊技機島。
【発明の詳細な説明】
【技術分野】
【０００１】
本発明は、例えば遊技場における遊技機島に関するものである。
【背景技術】
【０００２】
パチンコ機やパチスロ機などの遊技機が複数配設された遊技機島では、従来、複数の遊技機が背中合わせで２列に配設されている(例えば、特許文献1参照。)。
【先行技術文献】
【特許文献】
【０００３】
【特許文献１】特開２０１３−１５８５１４号公報
【発明の概要】
【発明が解決しようとする課題】
【０００４】
従来の遊技機島では、遊技機が背中を向き合わせて２列に配設される際、背中合わせで対向する遊技機の背面同士が重なるように配設されている。したがって、遊技機島の両サイドには、ちょうど同じ位置に対向するように遊技者が位置することとなる。
【０００５】
通常、遊技機の下部には、遊技者の足を入れる空間が形成される。しかし、前述した互いに対向する位置の遊技者の足同士が干渉しないように、遊技機島の下方には両側の足入れ空間の仕切りが設けられる。すなわち、遊技機島の両サイドの列間を区切るための仕切りが配置され、遊技者は、仕切りまでの空間に足を入れることが可能となる。このようにすることで、遊技者同士の足がぶつかり合うことがない。
【０００６】
しかし、従来の遊技機島では、列間に仕切板が配設されているため、遊技者が占有できるパーソナル空聞が狭い。すなわち、遊技機島の列と列との間に仕切板が配設されているため、遊技者は足を伸ばすことができず、パーソナル空間が狭かった。この結果、リラックスした状態で遊技を行うことが困難であった。
【０００７】
一方遊技機の前面から仕切板までの奥行長を長くすると、遊技者は足を伸ばすことができるが、遊技機の列間の距離が長くなり、遊技機島の設置スペースが大きくなってしまうという問題があった。
【０００８】
また、遊技機の前方には、遊技者の喫煙による吸い殻などの回収装置や、小物などを仮置きする場所が設けられる場合がある。しかし、このようなスペースを遊技機の前方に形成しようとすると、遊技機島の設置スペースがさらに大きくなる。
【０００９】
本発明は、このような問題に鑑みてなされたもので、遊技機の列間の距離を長くすることなく遊技者が足を伸ばすことができ、必要なスペースを確保することが可能な遊技機島を提供することを目的とする。
【課題を解決するための手段】
【００１０】
前述した目的を達するために第１の発明は、遊技機島であって、遊技機の下方に、前記遊技機の前面側の前記遊技機島の一方の側から前記遊技機島の他方の側まで延びる足入れ空間を形成する仕切り板が配設され、一方の側に開口する前記足入れ空間の他方の側における上部には、前記遊技機が設置される遊技機設置部との間に隙間が形成される下部構造を備えたことを特徴とする遊技機島である。
【００１１】
複数の前記遊技機が、背中合わせで２列に配置され、前記遊技機島の一方の側の隣接する前記遊技機同士の間に、前記遊技機島の他方の側の前記遊技機が位置し、前記足入れ空間は、前記遊技機島の両側の前記遊技機の下方にそれぞれ形成されてもよい。
【００１２】
前記遊技機島のそれぞれの側において、前記足入れ空間の上部に略水平に配置される板状の支持部と、前記支持部上に配置され、隣り合う前記支持部同士をつなぐ梁部と、を具備し、前記遊技機設置部は、前記梁部の上方に固定されてもよい。
【００１３】
前記遊技機島のそれぞれの側の前記梁部同士が、前記足入れ空間の上部を塞ぐ板部材で互いに接合されてもよい。
【００１４】
第１の発明によれば、遊技機の前面側の遊技機島の一方の側から遊技機島の他方の側まで延びる足入れ空間が形成されるため、遊技者は足を伸ばすことができ、リラックスした状態で遊技を行うことが可能となる。
【００１５】
また、この際、一方の側からの足入れ空間の他方の側における上部には、遊技機が設置される遊技機設置部との間に隙間が形成されるため、このスペースを例えば、吸い殻などの回収装置や、小物などを仮置きする場所として利用することができる。また、このスペースは、足入れ空間の先端側の上部にあるため、足入れの邪魔になることがない。
【００１６】
また、遊技機が背中合わせで２列に配置され、遊技機島の一方の側の隣接する遊技機同士の間に、遊技機島の他方の側の遊技機が位置すれば、遊技機の列間の距離を長くすることなく、足入れ空問の奥行を長くすることができる。すなわち、対向する遊技機が互いにずれて千鳥状に配置されれば、両側からの足入れ空間を互いにずれた千鳥状に配置することができる。
【００１７】
また、遊技機島のそれぞれの側において、足入れ空間の上部に略水平に配置される板状の支持部と、支持部上に配置され、隣り合う前記支持部同士をつなぐ梁部とを設けることで、それぞれの支持部同士が連結されて、十分な剛性を得ることができる。
【００１８】
さらに、遊技機島のそれぞれの側の梁部同士が、足入れ空間の上部を塞ぐ板部材で互いに接合されれば、上方に重量のある遊技機を設置した際に、梁が倒れる方向に変形することを抑制することができるとともに、足入れ空間の上方を塞ぐことができる。
【００１９】
第２の発明は、複数の遊技機からなる遊技機島であって、複数の前記遊技機が、背中合わせで２列に配置され、前記遊技機島の一方の側の隣接する前記遊技機同士の間に、前記遊技機島の他方の側の前記遊技機が位置し、前記遊技機の下方に、前記遊技機の前面側の前記遊技機島の一方の側から前記遊技機島の他方の側まで延びる足入れ空間を形成する仕切り板が配設され、前記足入れ部の上部には、前記遊技機が設置される遊技機設置部との間に隙間が形成され、前記遊技機島のそれぞれの側において、前記足入れ部の上部に略水平に配置される板状の支持部と、前記遊技機島の上部構造を支持する柱と、を具備し、前記遊技機島の一方の側の前記柱同士の間に、前記遊技機島の他方の側の前記柱が位置し、前記柱の下端近傍が、前記支持部に固定されることを特徴とする遊技機島である。
【００２０】
第２の発明によれば、遊技機の列間の距離を長くすることなく遊技者が足を伸ばすことができる。また、遊技機の列間の距離を長くすることなく必要なスペースを確保することが可能である。
【発明の効果】
【００２１】
本発明によれば、遊技機の列間の距離を長くすることなく遊技者が足を伸ばすことができ、必要なスペースを確保することが可能な遊技機島を提供することができる。
【図面の簡単な説明】
【００２２】
【図１】遊技機島１を示す概略斜視図。
【図２】遊技機島１を示す正面図。
【図３】遊技機島１を示す平面図。
【図４】遊技機島１の縦方向断面図。
【図５】遊技機島１を示す底面図。
【図６】遊技機島下部構造５の上端部近傍の断面図。
【図７】遊技機島下部構造５の構造を示す図。
【図８】遊技機島下部構造５の構造を示す図。
【図９】遊技機島下部構造５の構造を示す図。
【図１０】遊技機島下部構造５の構造を示す図。
【発明を実施するための形態】
【００２３】
以下、図面を参照しながら、本発明の第１の実施形態について説明する。図１は、遊技機島１を示す概略斜視図であり、図２は正面図、図３は平面図である。遊技機島１には、複数の遊技機３が併設される。本発明における遊技機島１は、パチンコ島であってもよく、スロット島であってもよい。各遊技機３の正面には図示を省略した椅子が配置される。
【００２４】
また、遊技機３の上方には、遊技球などの遊技媒体を搬送する搬送路(図示せず)が配設され、各遊技機３へ遊技媒体が供給される。また、遊技機島１は、たとえば床上に設置される。すなわち、遊技機島１の下方には、各遊技機３から排出された遊技媒体を回収する搬送路（図示せず）が設けられる。なお、遊技機島１は、図示した例には限られず、遊技機３の配置や台数、その他構成の配置などは、適宜変更することができる。
【００２５】
遊技機島１は、複数の遊技機３が背中合わせで２列に配設された島である。ここで、図３に示すように、遊技機島１の一方の側をＡ側、他方の側をＢ側とする。すなわち、遊技機島１は、複数の遊技機３が背中合わせで、Ａ側とＢ側の２列に配設される。
【００２６】
また、平面視において、Ａ側の隣接する遊技機３同士の間に、Ｂ側の遊技機３が位置し、Ｂ側の隣接する遊技機３同士の間に、Ａ側の遊技機３が位置するように各遊技機３が配設されている。すなわち、Ａ側の遊技機３とＢ側の遊技機３とが互いにずれて配置される。
【００２７】
なお、以下の説明では、遊技機３が２列対向するように背中合わせで配置されている例を示すが、本発明はこれに限られない。例えば、Ａ側にのみ遊技機３が設置され、Ｂ側には遊技機３が設置されず、Ｂ側は遊技場の壁面に接触するように設置される場合もある。
【００２８】
各遊技機３の下方には、足入れ空間７が形成される。例えば、Ａ側の遊技機３の下方には、Ａ側に開口する足入れ空間７が形成される。前述した椅子に着座した使用者の脚が、足入れ空間７に入る。足入れ空間７の詳細は後述する。
【００２９】
図４は、遊技機島１の縦方向の概略断面図であって、図２のＣ−Ｃ線断面図である。なお、以下の説明では、遊技機島１の遊技機３を含む上方を遊技機島上部構造６とし、遊技機３よりも下方を遊技機島下部構造５とする。
【００３０】
遊技機島下部構造５は、主に、仕切り板９、端面板１１、支持部１３、梁部１７、板部材２３、遊技機設置部１５等から構成される。遊技機３の前方側の仕切り板９の上方には、支持部１３が設けられる。前述したように、遊技機３の下方には、足入れ空間７が形成される。なお、図示した例では、Ａ側の遊技機３と、Ｂ側に開口する足入れ空間７とを示す。
【００３１】
足入れ空間７は、仕切り板９、端面板１１、板部材２３等からなる。足入れ空間７は、遊技者の足を入れる部位である。隣り合う足入れ空間７は、仕切り板９によって仕切られる。また、足入れ空間７の開口側と反対側には、端面板１１が設けられ、足入れ空間７が塞がれる。なお、端面板１１は、遊技機３の前面とほぼ同一面の位置に形成される。
【００３２】
仕切り板９の上方には、支持部１３が接合される。支持部１３は、板状の部材であり、足入れ空間７の開口部とは逆側であって、端面板１１側の上部に略水平に配置される。また、支持部１３上には、隣り合う支持部１３同士をつなぐ梁部１７が接合される。さらに、遊技機島１のＡ、Ｂ側それぞれの梁部１７同士が、足入れ空間７の上部を塞ぐ板部材２３で互いに接合される。
【００３３】
また、梁部１７の上部には、遊技機設置部１５が固定される。遊技機設置部１５は、遊技機３が設置される部位であり、支持部１３とほぼ平行に配置される。したがって、支持部１３と遊技機設置部１５との間には、当該支持部１３が設置される側に開口する隙間２５が形成される。すなわち、開口部とは逆側の足入れ空間７の上部には、隙間２５が形成される。
【００３４】
隙間２５は、吸い殻などの回収部や小物置きなどとして利用可能である。この際、遊技機３の前面から当該隙間がはみ出すことがなく、遊技機島１の設置スペースが大きくなることを抑制することができる。なお、図示を省略したテーブルを遊技機設置部１５の前面に固定することで、遊技媒体を貯留するための箱などを置くことができる。
【００３５】
なお、正面視において、支持部１３は、遊技機３の両側に配置される。図２に示すように、遊技機３の下方は、足入れ空間７の開口部となり、例えばＡ側の遊技機３の両側であってＢ側の遊技機３に対向する部位に支持部１３が配置される。したがって、前述したテーブルの下部は、足入れ空間７の開口部となり、テーブルの両サイド（Ｂ側の遊技機３の対向部）に、当該隙間２５が形成される。
【００３６】
ここで、仕切り板９は、隣り合う足入れ空間７同士を仕切るのみではなく、遊技機島上部構造６を支持するための支持構造を構成する。したがって、仕切り板９はある程度の剛性が必要である。また、仕切り板９の下部は、床２上に固定するための固定部１９となる。固定部１９は、遊技機島１の水平を出すための水平調整機構を具備する。例えば、固定部１９を２重構造とし各部材同士の間隙をボルト等によって調整可能としてもよい。
【００３７】
次に、足入れ空間７の詳細について説明する。図５は遊技機島１の底面図であり、図６は仕切り板９の上端部近傍における断面図である。前述したように、遊技機島１は、Ａ側とＢ側の両側に背中合わせで２列に遊技機３が配置される。この際、Ａ側とＢ側とで、遊技機３の設置位置が半ピッチずれており、遊技機島１の一方の側の隣接する遊技機３同士の間に、他方の側の遊技機３が位置する。
【００３８】
足入れ空間７は、それぞれの遊技機３の下部において遊技機３側に開口し、他方の側は端面板１１で塞がれる。すなわち、足入れ空間７は、遊技機３の下方であって、遊技機島１のＡ側からＢ側までの間に形成される。したがって、遊技者は、遊技機３の前面側から遊技機島１の他方の側まで延びる足入れ空間７に足を入れることができる。このため、遊技者は足を延ばして足入れ空間７に足を入れることができる。
【００３９】
また、足入れ空間７同士が仕切り板９で仕切られるため、隣り合う足入れ空間７内の足が触れ合うことがない。また、足入れ空間７の最深部は端面板１１で塞がれるため、遊技機島１の反対側の遊技者の足が、前面側に露出することがない。
【００４０】
ここで、仕切り板９の最下端（固定部１９）においては、隣り合う仕切り板９同士が略平行に、かつ、遊技機３の併設方向にほぼ垂直に形成される。一方、仕切り板９の上端部近傍は、開口部側が開くようなハの字状に形成される。すなわち、仕切り板９の上端部近傍は、遊技機３の併設方向に対して、所定の角度に形成される。したがって、仕切り板９は、下端から上端に向けて徐々に面方向が変化する曲面で構成される。
【００４１】
このように、足入れ空間７は、開口部側が広く、奥に行くにつれて徐々に幅が狭くなるように形成される。また、前述したように、足入れ空間７の最深部の上部には、隙間２５が形成されるため、最深部のみ高さがやや低くなる。しかし、足入れ空間７の奥側は、膝などが入らず、足の先端が入るのみであるため、空間としては十分である。一方、開口部側は、遊技者の膝回りが挿入されるため、開口部側を広くすることで、十分な足入れ空間７を形成することができる。
【００４２】
次に、遊技機島下部構造５の詳細について説明する。図７は、仕切り板９と端面板１１のみを組み立てた状態を示す図である。なお、以下の図においては、仕切り板９が表裏から貼り合わせて形成された２重構造である例を示すが、一体であってもよい。
【００４３】
前述したように、仕切り板９は、平面視において奥側に徐々に狭くなる形状（本実施例では略台形）の足入れ空間７が遊技機島１の両側に交互に開口するように配置される。また、足入れ空間７は、台形状の広い側が開口部となり、狭い側が端面板１１で塞がれる。
【００４４】
図８は、図７に対して支持部１３を組み立てた状態を示す図である。支持部１３は、足入れ空間７の台形状の狭い側の上部に固定される。すなわち、足入れ空間７の台形状の狭い側の上部を塞ぐように支持部１３が固定される。したがって、支持部１３は、遊技機島１の両側に対して互いにずれた位置に配置される。
【００４５】
図９は、図８に対して柱２１および梁部１７を組み立てた状態を示す図である。柱２１は、遊技機島上部構造６を支持するための部材である。柱２１の下端近傍は、支持部１３に固定される。柱２１の上部には、前述した遊技機３の上部に配置される搬送路等が配置される。前述したように、支持部１３は、遊技機島１の両側に対して互いにずれた位置に配置される。したがって、柱２１も遊技機島１の両側に対して互いにずれた位置に配置される。
【００４６】
また、支持部１３上には板状の梁部１７が固定される。梁部１７は、隣り合う支持部１３同士にまたがるように配置される。したがって、梁部１７によって、隣り合う支持部１３同士が接合される。ここで、支持部１３は、ほぼ水平に設置される。したがって、支持部１３上に梁部１７を容易に固定することができる。
【００４７】
梁部１７は、遊技機島１のそれぞれの側の支持部１３を連結する。すなわち、梁部１７は、遊技機島１の両側に一対配置される。梁部１７の上部は、略水平に形成される。また、梁部１７の下部であって、支持部１３との接合部以外の部位には切り欠き１８が形成される。したがって、足入れ空間７の開口部を広げて、足入れスペースを確保することができる。
【００４８】
図１０は、図９に対して板部材２３と遊技機設置部１５を配置した状態を示す図である。なお、図１０においては、柱２１の図示を省略するが、柱２１は、板部材２３を貫通する。
【００４９】
それぞれの梁部１７の上には、遊技機設置部１５がそれぞれ固定される。遊技機設置部１５は、遊技機３が設置される部位である。遊技機設置部１５は、梁部１７から前面に張り出すように、支持部１３とほぼ平行に、支持部１３と対向するように配置される。したがって、前述したように支持部１３と遊技機設置部１５との間には隙間２５が形成される。
【００５０】
板部材２３は、前述した一対の梁部１７を接合するとともに、足入れ空間７の上部を塞ぐ。また、梁部１７は、上部の遊技機３等を支持する。したがって、梁部１７には上方から大きな力が付与される。したがって、梁部１７が倒れるように変形する恐れがある。これに対し、それぞれの梁部１７を板部材２３で連結することで、梁部１７の倒れこみを防止することができる。
【００５１】
以上説明したように、本実施形態によれば、足入れ空間７が、遊技機島１の一方の側から他方の側まで形成され、遊技機島１の中央部を仕切る仕切り部がない。このため、遊技者は足を伸ばすことができる。この際、遊技機島１の設置スペースを大きくする必要がない。
【００５２】
また、足入れ空間７の最深部上方に配置される支持部と、遊技機設置部１５との間に隙間２５を形成することで、タバコの吸い殻の回収部等を形成することができる。この際、隙間２５は、遊技機３の下部に隠れる位置に形成されるため、スペース効率が良い。
【００５３】
また、遊技機３の配置が、遊技機島１の両側でずれた位置に配置されるため、支持部１３と柱２１が遊技機島１の両側でずれた位置に配置される。このため、遊技機島上部構造６を効率よく支持することができる。
【００５４】
また、支持部１３上に固定される梁部１７が、板部材２３によって連結されるため、梁部１７の倒れこみを防止することができる。また、板部材２３によって足入れ空間７の上方を塞ぐことができる。
【００５５】
なお、上述の実施形態では、本発明が、遊技場における遊技機島の下部構造に適用された例を示したが、本発明の技術思想は、他の分野にも応用が可能である。例えば、本発明の構造を、机の下部構造としても使用することができる。例えば、机の互いに対向する一方の側と他方の側とで、利用者の座る位置がずれており、の一方の側の隣接する座席同士の間に、他方の側の座席が位置するような机に対して適用可能である。
【００５６】
この場合、例えば、図１０の遊技機設置部１５に変えて、下部構造の全体を覆う天板を固定すればよい。この場合でも、机の下部構造として、机の天板の下方に、机の一方の側から他方の側まで延びる足入れ空間を形成する仕切り板が配設されることで、利用者は足を延ばすことができる。
【００５７】
なお、この際、一方の側に開口する足入れ空間の他方の側における上部には、天板との間に隙間が形成されることが望ましい。例えば、足入れ空間の上部に略水平に配置される板状の支持部と、支持部上に配置され、隣り合う支持部同士をつなぐ梁部とを設け、天板が、梁部の上方に固定されることで、支持部と天板との間に隙間を形成することができる。
【００５８】
また、机のそれぞれの側の梁部同士が、足入れ空間の上部を塞ぐ板部材で互いに接合されることで、梁部を補強することができる。
【００５９】
また、机上には、各座席に座る利用者同士の使用スペースおよび視線を仕切る仕切りをさらに形成してもよい。この場合、机上においては、一方の側と他方の側との間に、天板の略中央を仕切る中央仕切りと、それぞれの側において、隣り合う使用者同士を仕切る側方仕切りを設ければよい。この場合でも、足入れ空間は、一方の側から他方の側まで形成されるため、足元に広い空間を形成可能であるとともに、利用者の脚が触れ合うことがなく、スペース効率が高い。
【００６０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６１】
例えば、端面板１１は、足入れ空間７の最深部を全て覆う必要は無く、一部だけを覆い、覆われていない部分は通風が可能となり、足入れ空間の過度な温度や湿度の上昇を防止できるようにしても良い。更に、端面板１１を省略することを妨げない。
【００６２】
また、遊技機島を、各遊技機ごとに下部構造および上部構造をユニット化して、ユニット化された下部構造および上部構造を組み立てることで、自由に遊技機の配置数を増減することもできる。同様に、机の着座席ごとにユニット化してもよい。
【符号の説明】
【００６３】
１………遊技機島
２………床
３………遊技機
５………遊技機島下部構造
６………遊技機島上部構造
７………足入れ空間
９………仕切り板
１１………端面板
１３………支持部
１５………遊技機設置部
１７………梁部
１８………切欠き
１９………固定部
２１………柱
２３………板部材
２５………隙間
【図１】
2017109027.tif 000003
【図２】
2017109027.tif 000004
【図３】
2017109027.tif 000005
【図４】
2017109027.tif 000006
【図５】
2017109027.tif 000007
【図６】
2017109027.tif 000008
【図７】
2017109027.tif 000009
【図８】
2017109027.tif 000010
【図９】
2017109027.tif 000011
【図１０】
2017109027.tif 000012